(57)【要約】【課題】遮光部材による高輝度放電灯の昇温を防止することができる照明器具を提供する。【解決手段】高輝度放電灯３２より発せられた光を吸収・遮光する遮光部材４０に放熱構造４４，４５を設けたので、高輝度放電灯３２の破片散乱防止機構３２１およびその周辺の滞留熱を効果的に放熱することができ、遮光部材４０による高輝度放電灯３２の昇温を防止して高輝度放電灯３２を良好な状態に保つことができる。【選択図】図１
2010146975.tif 000002
【特許請求の範囲】
【請求項１】
破片散乱防止機構を有する高輝度放電灯と、
前記高輝度放電灯の発光部を収容する筐体と、
前記高輝度放電灯より発せられた光を反射する反射板と、
前記高輝度放電灯より発せられた光を吸収・遮光する遮光部材と、
を有する高輝度放電灯用の照明器具であって、  
前記遮光部材が、前記破片散乱防止機構およびその周辺の滞留熱を効果的に放熱する放熱構造を有していることを特徴とする照明器具。
【請求項２】
前記遮光部材が、前記高輝度放電灯の発光管中央より先端側に設けられて所望の角度に放射される光を遮光し、
前記遮光部材により遮光されることで滞留する熱を放出する放熱フィンを外周または内周に設けたことを特徴とする請求項１記載の照明器具。
【請求項３】
前記遮光部材に、前記高輝度放電灯の発光管中央より先端側に設けられた嵌合突起部と係合して固定・保持される凹状係合部を設けたことを特徴とする請求項１または２記載の照明器具。
【請求項４】
前記遮光部材が、前記破片散乱防止機構よりも熱伝導性の高い金属材料で形成され、前記高輝度放電灯の先端に密着したキャップおよび該キャップから双方向に延出して前記反射板に固定される支持部材を有することを特徴とする請求項１ないし請求項３のいずれかに記載の照明器具。
【発明の詳細な説明】
【技術分野】
【０００１】
本発明は、スポットライトに好適な照明器具に関するものである。
【背景技術】
【０００２】
従来より、防眩装置が取り付けられた照明器具が提案されている（例えば特許文献１参照）。
図６（Ａ）に示すように、この照明器具１００では、光源である高輝度ランプ１０１は内部管１０２を備えている。この内部管１０２は内部に放電管１０３を有しており、外側は破裂防止のための保護管１０４によって間隔を置いて取り囲まれている。保護管１０４は、反射板１０５によって取り囲まれている。
【０００３】
反射板１０５の開口部１０６の中央には、防眩装置である遮光部材１０７が取り付けられている。遮光部材１０７は半球状のカバーキャップ１０８と円筒部１０９を備えており、円筒部１０９の端部には、斜めに突出した防眩用のつば１１０が一体成形されている。
遮光部材１０７は、カバーキャップ１０８と円筒部１０９との境界の段部１１１で、保護管１０４の先端に設けられている膨隆部１１２を保持することによりランプ１０１に取付けられている。
【特許文献１】特表２００８−５２９２４６号公報（第１図）
【発明の開示】
【発明が解決しようとする課題】
【０００４】
しかしながら、前述したような従来の照明器具１００においては、高輝度ランプ１０１の破損安全性の観点から、保護シールド構造のための保護管１０４で覆われている。また、高輝度ランプ１０１の眩しさを防止するために、ランプ１０１には遮光部材１０７が取付けられるが、ランプ１０１から発せられる熱がこもって高温になるため、遮光部材１０７の固定・保持の耐久性に問題があった。
【０００５】
本発明は、従来の問題を解決するためになされたもので、遮光部材による高輝度放電灯の昇温を防止することができる照明器具を提供することを目的とする。
【課題を解決するための手段】
【０００６】
本発明の照明器具は、破片散乱防止機構を有する高輝度放電灯と、前記高輝度放電灯の発光部を収容する筐体と、前記高輝度放電灯より発せられた光を反射する反射板と、前記高輝度放電灯より発せられた光を吸収・遮光する遮光部材と、を有する高輝度放電灯用の照明器具であって、前記遮光部材が、前記破片散乱防止機構およびその周辺の滞留熱を効果的に放熱する放熱構造を有している構成を有している。
【０００７】
この構成により、高輝度放電灯より発せられた光を吸収・遮光する遮光部材に放熱構造を設けたので、高輝度放電灯の破片散乱防止機構およびその周辺の滞留熱を効果的に放熱することができ、遮光部材による高輝度放電灯の昇温を防止して高輝度放電灯を良好な状態に保つことができる。
【０００８】
また、本発明の照明器具は、前記遮光部材が、前記高輝度放電灯の発光管中央より先端側に設けられて所望の角度に放射される光を遮光し、前記遮光部材により遮光されることで滞留する熱を放出する放熱フィンを外周または内周に設けた構成を有している。
【０００９】
この構成により、高輝度放電灯の発光管中央より先端側に設けられて所望の角度に放射される光を遮光する遮光部材の外周または内周に放熱フィンを設けたので、遮光部材により遮光されることで滞留する熱を放出することができる。
【００１０】
また、本発明の照明器具は、前記遮光部材に、前記高輝度放電灯の発光管中央より先端側に設けられた嵌合突起部と係合して固定・保持される凹状係合部を設けた構成を有している。
【００１１】
この構成により、遮光部材に設けられた凹状係合部を、高輝度放電灯の発光管中央より先端側に設けられた嵌合突起部に嵌合させることにより、所定位置に確実に固定・保持することができる。
【００１２】
さらに、本発明の照明器具は、前記遮光部材が、前記破片散乱防止機構よりも熱伝導性の高い金属材料で形成され、前記高輝度放電灯の先端に密着したキャップおよび該キャップから双方向に延出して前記反射板に固定される支持部材を有する構成を有している。
【００１３】
この構成により、遮光部材を破片散乱防止機構よりも熱伝導性の高い金属材料で形成したので、放熱性に優れる。遮光部材は、高輝度放電灯の先端に密着したキャップおよび該キャップから双方向に延出する支持部材により反射板に固定される。
【発明の効果】
【００１４】
本発明は、高輝度放電灯より発せられた光を吸収・遮光する遮光部材に放熱構造を設けたので、高輝度放電灯の破片散乱防止機構およびその周辺の滞留熱を効果的に放熱することができ、遮光部材による高輝度放電灯の昇温を防止して高輝度放電灯を良好な状態に保つことができるという効果を有する照明器具を提供することができるものである。
【発明を実施するための最良の形態】
【００１５】
以下、本発明の実施の形態の照明器具について、図面を用いて説明する。
（第１実施例）
図１は本発明の第１実施例にかかる照明器具を示す斜視図、図２は図１中II−II位置の断面図である。
【００１６】
図１および図２に示すように、本発明の第１実施例にかかる照明器具１０は、例えば天井や壁等の被取付部に取付けられているダクトレール（図示省略）に取付けて、スポットライトとして使用することができる。
【００１７】
照明器具１０は、ダクトレールに沿って移動可能な照明器具基体１１と、照明器具基体１１の下面に旋回可能に設けられたアーム２０と、アーム２０の下端に上下に回動可能に設けられた筐体としての灯体３０を有する。
【００１８】
照明器具基体１１は、内部に安定器１２を収納しており、上面１１１の一端部にはプラグ１３が上方に突出して設けられ、他端部には係止体１４が上方に突出して設けられる。
プラグ１３は、上下方向に所定間隔で、上側に受電用端子部１３１を有し、受電用端子部１３１の下側に係止部１３２を有する。プラグ１３をダクトレールに取付けると、受電用端子部１３１がダクトレールの内部に開口に沿って設けられた通電板（図示省略）に接触して、点灯用の電力の供給を受けるとともに、照明器具１０をダクトレールに係止する。係止部１３２は受電用端子１３１との間に、ダクトレールを係止する。
【００１９】
また、照明器具基体１１の他端側に設けられている係止体１４は、ダクトレールの開口と略同幅であり、開口に沿って移動可能となっている。
これにより、照明器具１０をダクトレールに沿って移動させる際に、照明器具基体１１がダクトレールの開口に沿った向きを維持することができる。
【００２０】
照明器具本体１１のプラグ１３側の端部には、アーム２０を旋回可能に支持するアーム支持部１５を有する。アーム支持部１５の下端には、アーム２０を旋回可能に支持する軸受部１５１を有する。
【００２１】
アーム２０は、上端部に軸受部１５１に旋回可能に支持される回動軸部２１を有し、回動軸部２１の下端部から分岐して２本のアーム部２２を有する。アーム部２２の下端部には、回動軸であるネジ２３により灯体３０が上下方向へ回動可能に取り付けられる。
【００２２】
灯体３０は、前部に開口を有する略円錐台形状のセード３０１と、セード３０１の後方にあって小径の円筒状のランプ保持部３０２を有する。
ランプ保持部３０２の内部にはスクリューベースのソケット３１が取付けられており、ソケット３１には、高輝度放電灯（ＨＩＤランプ（High Intensity Discharge lamp ））である例えばセラミックメタルハライドランプ（以後、「ランプ」という。）３２が取付けられる。ランプ３２の最外部には、破片散乱防止機構としての外管３２１が設けられている。
【００２３】
セード３０１の内部には、略放物面状の反射板３３が取付けられており、ランプ３２の発光部３２１が放物面の焦点位置に配置されている。ランプ３２の先端には、ランプ３２より発せられた所定角度の光を吸収・遮光する遮光部材であるグレアカットキャップ４０が取付けられている。すなわち、グレアカットキャップ４０は、ランプ３２の発光部３２２より先端側に設けられて、所望の角度に放射される光を遮光する。
【００２４】
グレアカットキャップ４０は円錐台形状をしており、投光方向に向かって先細りとなっている。グレアカットキャップ４０の表面積はランプ３２の外管３２１の先端部よりも大きくなって放熱構造を有しており、放熱効果を有する。
【００２５】
図２に示すように、グレアカットキャップ４０の内面は、ランプ３２の破片散乱防止機構である外管３２１の先端部形状と略一致しており、内面に取付けられている弾性部材４２により、外管３２１の先端に直接取付けられている。グレアカットキャップ４０の外周面からセード３０１の開口の径方向に向かって支持部材として一対の支持バー４１、４１が延設されており、支持バー４１の先端は固定バネ４３により反射板３３に取付けられている。このため、従来、反射板３３を固定するための固定バネは不要になる。
なお、グレアカットキャップ４０および支持バー４１は、外管３２１よりも熱伝導性の高い金属材料、例えばアルミダイカスト等で形成されるのが望ましい。
【００２６】
以上、説明した本発明の第１実施例にかかる照明器具１０によれば、ランプ３２より発せられた光を吸収・遮光するグレアカットキャップ４０の表面積を大きくして放熱効果を改善したので、ランプ３２の外管３２１およびその周辺の滞留熱を効果的に放熱することができ、グレアカットキャップ４０によるランプ３２の昇温を防止して、ランプ３２を良好な状態に保つことができる。
【００２７】
また、グレアカットキャップ４０および支持バー４１を、外管３２１よりも熱伝導性の高い金属材料で形成することにより、放熱性を向上させることができる。
【００２８】
（第２実施例）
次に、本発明の第２実施例について説明する。
図３は本発明の第２実施例にかかる照明器具を示す斜視図である。なお、前述した第１実例にかかる照明器具と共通する部位には同じ符号を付して、重複する説明を省略することとする。
【００２９】
図３に示すように、本発明の第２実施例にかかる照明器具１０Ｂでは、グレアカットキャップ４０Ｂの外周面に、コイル状（らせん状）の放熱フィン４４を設けた。なお、放熱フィン４４は、例えば円筒形状のグレアカットキャップ４０Ｂの外周に凹凸で形成することができる。あるいは、線状部材をコイル状に巻回して形成することもできる。
【００３０】
以上、説明した本発明の第２実施例にかかる照明器具１０Ｂによれば、グレアカットキャップ４０Ｂの外周面に放熱フィン４４を設けてグレアカットキャップ４０Ｂの表面積を大きくした。これにより、放熱効果を改善して、ランプ３２の外管３２１およびその周辺の滞留熱を効果的に放熱することができるので、グレアカットキャップ４０Ｂによるランプ３２の昇温を防止して、ランプ３２を良好な状態に保つことができる。
【００３１】
（第３実施例）
次に、本発明の第３実施例について説明する。
図４は本発明の第３実施例にかかる照明器具を示す斜視図である。なお、前述した第１実例および第２実施例にかかる照明器具と共通する部位には同じ符号を付して、重複する説明を省略することとする。
【００３２】
図４に示すように、本発明の第３実施例にかかる照明器具１０Ｃでは、グレアカットキャップ４０Ｃの外周面に、放射状の放熱フィン４５を設けた。
【００３３】
以上、説明した本発明の第３実施例にかかる照明器具１０Ｃによれば、グレアカットキャップ４０Ｃの外周面に放熱フィン４５を設けてグレアカットキャップ４０Ｃの表面積を大きくした。これにより、放熱効果を改善して、ランプ３２の外管３２１およびその周辺の滞留熱を効果的に放熱することができるので、グレアカットキャップ４０Ｃによるランプ３２の昇温を防止して、ランプ３２を良好な状態に保つことができる。
なお、放熱フィン４５の外側を覆うカバーを取付けることも可能である。また、放熱フィンをグレアカットキャップ４０Ｃの内周面に設けることも可能である。
【００３４】
（第４実施例）
次に、本発明の第４実施例について説明する。
図５（Ａ）は本発明の第４実施例にかかる照明器具を示す一部破断の斜視図、図５（Ｂ）は（Ａ）中Ｂ部分の拡大図である。なお、前述した第１実例〜第３実施例にかかる照明器具と共通する部位には同じ符号を付して、重複する説明を省略することとする。
【００３５】
図５に示すように、本発明の第４実施例にかかる照明器具１０Ｄでは、グレアカットキャップ４０Ｄを、幅狭の斜面を有するリング状部材４６を、所定間隔でルーバー状に積層配列して形成した。
また、ランプ３２の発光部３２２より先端側に、外管３２１の径方向外側へ突出する嵌合突起部４７を設けておき、グレアカットキャップ４０Ｄに、嵌合突起部４７に係合する凹状係合部４８を設けた。
【００３６】
以上、説明した本発明の第３実施例にかかる照明器具１０Ｄによれば、グレアカットキャップ４０Ｄを、リング状部材４６を一定の間隔を開けて斜めに接続して形成したので、ランプ３２の熱により発生した上昇気流が隙間を通って対流する。これにより、ランプ３２を効果的に放熱することができるので、ランプ３２の昇温を防止して、ランプ３２を良好な状態に保つことができる。
【００３７】
また、グレアカットキャップ４０Ｄに設けられた凹状係合部４８を、ランプ３２の嵌合突起部４７に嵌合させることにより、グレアカットキャップ４０Ｄを所定位置に確実に位置決めし、固定・保持することができる。
【００３８】
なお、本発明の照明器具は、前述した各実施形態に限定されるものでなく、適宜な変形，改良等が可能である。
【図面の簡単な説明】
【００３９】
【図１】本発明の第１実施例にかかる照明器具を示す斜視図
【図２】図１中II−II位置の断面図
【図３】本発明の第２実施例にかかる照明器具を示す斜視図
【図４】本発明の第３実施例にかかる照明器具を示す斜視図
【図５】（Ａ）は本発明の第４実施例にかかる照明器具を示す一部破断の斜視図、（Ｂ）は（Ａ）中Ｂ部分の拡大図
【図６】（Ａ）従来の照明器具の断面図、（Ｂ）は（Ａ）中Ｂ部分の拡大図
【符号の説明】
【００４０】
１０  照明器具
３０  灯体（筐体）
３２  ランプ（高輝度放電灯）
３２１  外管（破片散乱防止機構）
３２２  発光部
３３  反射板
４０  グレアカットキャップ（遮光部材、キャップ）
４１  支持バー（支持部材）
４４、４５  放熱フィン（放熱構造）
４７  嵌合突起部
４８  凹状係合部
【図１】
2010146975.tif 000003
【図２】
2010146975.tif 000004
【図３】
2010146975.tif 000005
【図４】
2010146975.tif 000006
【図５】
2010146975.tif 000007
【図６】
2010146975.tif 000008